(57)【要約】  第１の部分（１２）と第２の部分（１４）とを備える手動具（１０）であって、前記第１の部分（１２）は、少なくとも部分的に前記第２の部分（１４）と嵌め合わされるとともに前記第２の部分（１４）に対して相対的に軸方向（Ｘ）に並進運動可能であり、前記第１の部分（１２）は第１の遠位端（１２Ａ）を有し、その一方前記第２の部分（１４）は前記軸方向（Ｘ）において前記第１の遠位端（１２Ａ）の反対側にある第２の遠位端（１４Ａ）を有し、前記手動具（１０）は、重力方向（Ｇ）においてみたときに前記第１の遠位端（１２Ａ）が前記第２の遠位端（１４Ａ）の上方に配置されている場合にのみ、前記第１の部分（１２）が前記第２の部分（１４）に対して相対的に前記軸方向（Ｘ）に並進運動することを防止するよう構成された停止装置（１６）を備え、前記停止装置（１６）は、チャンバ（１６Ｂ）と前記チャンバ（１６Ｂ）に収容されたボールまたはその同等物（１６Ａ）とを備える、手動具（１０）。【選択図】図５
2019527633.tif 000002
【特許請求の範囲】
【請求項１】
第１の部分（１２）と第２の部分（１４）とを備える、特には筆記具であってもよい手動具（１０）であって、前記第１の部分（１２）は、少なくとも部分的に前記第２の部分（１４）と嵌め合わされるとともに前記第２の部分（１４）に対して相対的に軸方向（Ｘ）に並進運動可能であり、前記第１の部分（１２）は第１の遠位端（１２Ａ）を有し、その一方前記第２の部分（１４）は前記軸方向（Ｘ）において前記第１の遠位端（１２Ａ）の反対側にある第２の遠位端（１４Ａ）を有し、前記手動具（１０）は、重力方向（Ｇ）においてみたときに前記第１の遠位端（１２Ａ）が前記第２の遠位端（１４Ａ）の上方に配置されている場合にのみ、前記第１の部分（１２）が前記第２の部分（１４）に対して相対的に前記軸方向（Ｘ）に並進運動することを防止するよう構成された停止装置（１６）を備え、前記停止装置（１６）は、チャンバ（１６Ｂ）と前記チャンバ（１６Ｂ）に収容されたボールまたはその同等物（１６Ａ）とを備え、前記チャンバ（１６）の体積を規定している壁は、前記重力方向（Ｇ）においてみたときに前記第１の遠位端（１２Ａ）が前記第２の遠位端（１４Ａ）の上方に配置されている場合に前記ボールまたはその同等物（１６Ａ）の全体または一部を収容するよう構成された収容部（１４Ｄ２１）を有し、前記停止装置（１６）は、重力方向（Ｇ）においてみたときに前記第１の遠位端（１２Ａ）が前記第２の遠位端（１４Ａ）の上方に配置されている場合に前記ボールまたはその同等物（１６Ａ）と協働するよう構成されたアバットメント（１２Ｄ）をさらに備え、前記収容部（１４Ｄ２１）は、前記第１の部分（１２）および前記第２の部分（１４）から選択される一方の部分の一部をなす壁に形成されているのに対し、前記アバットメント（１２Ｄ）は、前記第１の部分（１２）および前記第２の部分（１４）のうちの他方の部分に固定されている、手動具（１０）。
【請求項２】
それぞれ前記第１の部分（１２）の一部および前記第２の部分（１４）の一部をなしている２つの壁（１２Ｃ，１４Ｃ）の間に前記チャンバ（１６Ｂ）が形成されている、請求項１に記載の手動具（１０）。
【請求項３】
前記収容部（１４Ｄ２１）は、前記チャンバ（１６Ｂ）から前記軸方向（Ｘ）に延びる通路（１４Ｄ２）によって形成されており、前記通路（１４Ｄ２）は、前記ボールまたはその同等物（１６Ａ）の直径（Ｄ）よりも小さな幅（Ｌ）を有する、請求項１または２に記載の手動具（１０）。
【請求項４】
前記アバットメント（１２Ｄ）は、前記第１の部分（１２）の前記第２の部分（１４）に対する相対的な並進運動時に、少なくとも部分的に前記通路（１４Ｄ２）に入り込むよう構成されている、請求項３に記載の手動具（１０）。
【請求項５】
前記ボールまたはその同等物（１６Ａ）は、金属製である、請求項１〜４のいずれか一項に記載の手動具（１０）。
【請求項６】
前記チャンバ（１６Ｂ）のキャビティを画定している２つの壁の間の最小距離は、前記ボールまたはその同等物（１６Ａ）の直径（Ｄ）の１０２％〜１２５％の範囲内である、請求項１〜５のいずれか一項に記載の手動具（１０）。
【請求項７】
前記軸方向（Ｘ）に延びる筆記具を形成している、請求項１〜６のいずれか一項に記載の手動具（１０）。
【請求項８】
前記第１の遠位端（１２Ａ）には筆記用先端部（１２Ｂ）が備え付けられているのに対し、前記第２の遠位端（１４Ａ）には消しゴム（１４Ｂ）、摩擦体、または容量性スクリーン用のパッドが備え付けられている、請求項７に記載の手動具（１０）。
【発明の詳細な説明】
【技術分野】
【０００１】
本発明は、手動具であって、１つの部分の別の部分に対する相対的な並進運動を、重力方向においてみたときの該２つの部分同士の相対的な位置に応じて防止するための停止装置を備える手動具に関する。本発明は、限定はされないが、特に筆記具に関する。
【背景技術】
【０００２】
手動具として、第１の部分と第２の部分が相対的に運動可能なものが知られており、該第２の部分は、例えば、シャープペンシルの消しゴムを保持している後部であって、シャープペンシルの前部に対して相対運動可能な後部である。しかし、この第２の部分を使用しようとする場合（例えば、消しゴムを使用しようとする場合）、第２の部分が第１の部分に対して相対的に運動可能なままであるため、使用者が不注意で第２の部分を第１の部分に対して相対的に動かし、その結果、例えば、消しゴムを使用しているにも関わらずシャープペンシルの芯が延長される可能性がある。このような動作は通常望ましくない。この点について要求がある。
【発明の概要】
【０００３】
一実施形態によれば、第１の部分と第２の部分とを備える手動具であって、前記第１の部分は、少なくとも部分的に前記第２の部分と嵌め合わされるとともに前記第２の部分に対して相対的に軸方向に並進運動可能であり（その逆も然り）、前記第１の部分は第１の遠位端を有し、その一方前記第２の部分は前記軸方向において前記第１の遠位端の反対側にある第２の遠位端を有し、前記手動具は、重力方向においてみたときに前記第１の遠位端が前記第２の遠位端の下方に配置されている場合にのみ、前記第１の部分が前記第２の部分に対して相対的に前記軸方向に並進運動することを防止するよう構成された停止装置を備え、前記停止装置は、チャンバと前記チャンバに収容されたボールまたはその同等物とを備える、手動具が提供される。
【０００４】
当然ながら、第１の部分の全体または一部が第２の部分に嵌め込まれてもよく、また、その逆に、第２の部分の全体または一部が第１の部分に嵌め込まれてもよい。一例では、第１の部分が第２の部分と嵌め合わされる方向が軸方向に相当する。当然ながら、各部分は単一の部品で形成されてもよく、または互いに組み合わされた複数の部品で形成されてもよい。以下、反対のことが明記されない限り、第１の部分の第２の部分に対する「相対的な」運動（例えば、並進運動または摺動）に関する用語は、当然ながら、第１の部分と第２の部分のどちら（あるいは両方）が動いていると考えられるかに関わらず、第１の部分と第２の部分の「相対的な」運動を意味する。
【０００５】
「重力方向」という用語は、当然ながら、地球によって、より広く言えば手動具が使用されるところの物体または天体によって生み出されるニュートン重力加速度の方向を意味する。
【０００６】
「ボールまたはその同等物」という用語は、チャンバ内を移動可能であって、重力の影響下でチャンバのキャビティを画定している壁に対して相対的に移動するのに適した、任意の形状の任意の固体の部材を意味する。以下、反対のことが明記されない限り、「ボール」という用語は、「ボールまたはその同等物」を意味する。当然ながら、チャンバは任意の形状であってよく、該形状は単純であっても複雑であってもよい。
【０００７】
そこで、重力方向に関し、ボールがチャンバ内を移動することによって、第１の遠位端が第２の遠位端の下方にある場合には停止装置が第１の部分の第２の部分に対する相対的な軸方向の並進運動を可能にし、一方、第１の遠位端が第２の遠位端の上方にある場合には停止装置が第１の部分の第２の部分に対する相対的な軸方向の並進運動を阻止する。以下、反対のことが明記されない限り、第１の遠位端および第２の遠位端の「上方」または「下方」といった相対的な位置は、重力方向において考えるものとする。
【０００８】
したがって、停止装置は重力を利用して停止する装置であることが理解されるはずである。そこで、重力方向においてみたときに第１の遠位端が第２の遠位端の上方に配置されている第１の状態では、停止装置は、第１の部分の第２の部分に対する相対的な軸方向の並進運動を重力の作用のみを利用して自動的に防止し、一方、重力方向においてみたときに第１の遠位端が第２の遠位端の下方に配置されている第２の状態では、停止装置は、第１の部分の第２の部分に対する相対的な軸方向の並進運動を重力の作用のみを利用して自動的に可能にする。
【０００９】
したがって、手動具は、必ずしも限定されないが、例えば第１の遠位端および第２の遠位端から選択される遠位端の内部への先端部の格納および該遠位端の外部への先端部の突出のための機構などの何らかの機構を作動させるために、第１の部分が第２の部分に対して相対的に軸方向に運動可能な第１の配置状態をとり、この第１の配置状態は、第１の遠位端が第２の遠位端の下方にある配置状態に相当する。また、手動具は、必ずしも限定されないが、例えば先端部の格納および突出のための上記機構を停止させるために、停止装置によって第１の部分が第２の部分に対して相対的に軸方向に運動できないようになる第２の配置状態をとり、この第２の配置状態は第１の遠位端が第２の遠位端の上方にある配置状態に相当する。当然ながら、停止装置によって行われる停止は、第１の部分と第２の部分の間に軸方向の遊びがない厳密な停止であってもよく、または、第１の部分と第２の部分の間にいくらか軸方向の遊びがある停止であってもよく、さらには、第１の部分と第２の部分の軸方向の相対的なストロークを制限すること（すなわち、比較的大きな遊びのある停止）であってもよい。
【００１０】
当然ながら、第２の配置状態では、停止装置のボールが、第１の部分と第２の部分の軸方向の相対的な並進運動を停止させるように第１の部分および第２の部分と協働し、一方、第１の配置状態では、ボールは、第１の部分と第２の部分の軸方向の相対的な並進運動を停止させるようには第１の部分および第２の部分と協働しないことが理解されるはずである。すなわち、第１の配置状態では、ボールは「解放」位置（すなわち、停止装置が、第１の部分を、第２の部分に対して相対的に軸方向に自由に並進運動できるようにしている位置）にあり、一方、第２の配置状態では、ボールは「停止」位置（すなわち、停止装置によって、第１の部分が第２の部分に対して相対的に軸方向に並進運動するのを停止している位置）にある。
【００１１】
停止装置の上記構造を用いることで、すなわち、ボール、詳細にはチャンバに収容されたボールを用いることで、手動具の他の何らかの部材または機構がどのように構成されているかに関わらず、第２の配置状態において停止が行われることが理解されるはずである。そこで、例えば、第１の遠位端および第２の遠位端から選択される遠位端の外部への先端部の突出および該遠位端の内部への先端部の格納のための機構を手動具が有する場合、停止装置は、該先端部の位置に関わらず、すなわち、先端部が格納位置にあるか突出位置にあるかに関わらず、第１の部分が第２の部分に対して相対的に並進運動することを防止する（当然ながら、第１の遠位端が第２の遠位端の上方にある場合のみである）。
【００１２】
例えば、先端部は、レンチの先端具、ドライバーの先端具、ブレード、パンチ、筆記用物体（フェルトペンのペン先、ボールペンのペン先、その他のペン先、黒鉛製の芯、チョーク、または基材への書き込みを可能とする他の何らかの手段）、ブラシ、消しゴム、摩擦体、容量性スクリーン用のパッド、化粧品塗布具（メイク用ブラシ、ペンシル、マスカラブラシ、ロールオン式の塗布具、口紅、または化粧品を塗布するための他の何らかの手段）などの任意の手動具の先端具によって形成される。
【００１３】
したがって、停止装置を用いることで、手動具の軸方向において第１の先端部の反対側にある第２の先端部を使用しているときに、手動具の第１の先端部を操作する、または作動させる（例えば、格納または突出させる）ことを回避できる（第１の先端部は、当然ながら、第１の部分の第２の部分に対する相対的な軸方向の並進運動によって作動される）。さらに、停止装置の構造には、コンパクトであるという利点があり、これにより手動具の全体のコンパクトさが向上するため、手動具の寸法が使用者の多くにとって適した寸法となり得る。
【００１４】
いくつかの実施形態では、チャンバのキャビティを画定している２つの壁の間の最小距離が、ボールの直径（「ボールまたはその同等物」が球状でない場合は該ボールの最大寸法）の１０２％〜１２５％の範囲内である。
【００１５】
ボールを収容するよう構成されたキャビティを上記２つの壁が画定しており、これらの壁は、必ずしも限定されないが、単一の部材の一部をなすのに適していることが理解されるはずである。例えば、壁はそれぞれ２つの個別の部材の一部をなしており、互いに対向して配置された場合、ボールを収容するキャビティを画定し、該キャビティはチャンバの内部の少なくとも一部をなす。このような構成により、ボールがチャンバ内を自由に移動できるようにしながら、停止装置をよりコンパクトにできる。
【００１６】
いくつかの実施形態では、それぞれ第１の部分の一部および第２の部分の一部をなしてしている２つの壁の間にチャンバが形成されている。
【００１７】
例えば、第１の部分の第１の壁、および／または、少なくとも１つの所定の相対位置（例えば、第１の配置状態）において第１の部分に対向する第２の部分の第２の壁が凹部を形成している。この場合、チャンバは、この１つの凹部またはこれら複数の凹部を備え、ボールの全体または一部がこの１つの凹部またはこれら複数の凹部に収容される。
【００１８】
このようなチャンバ構造はコンパクトな構造を有するとともに、ボールが第１の部分および第２の部分と直接協働できるようにする。
【００１９】
いくつかの実施形態では、チャンバの体積を規定している壁が、重力方向においてみたときに第１の遠位端が第２の遠位端の上方に配置されている場合にボールの全体または一部を収容するよう構成された収容部を有する。
【００２０】
収容部は、チャンバの壁の部分であって、第１の遠位端が第２の遠位端の上方にある場合にボールの全体または一部が収容される部分であることが理解されるはずである。したがって、手動具の第２の配置状態、すなわちボールが停止位置にある状態では、収容部がボールを保持することにより、ボールの停止位置がより安定し、停止装置によって行われる停止がより確実になる。
【００２１】
いくつかの実施形態では、収容部は、チャンバから軸方向に延びる通路によって形成されており、該通路は、ボールまたはその同等物の直径よりも小さな幅を有する。
【００２２】
例えば、上記通路の幅は、ボールの直径（「ボールまたはその同等物」が球状でない場合は該ボールまたはその同等物の最小寸法）の５０％〜９０％の範囲内である。当然ながら、一変形形態では、通路はボールよりも大きな部分を有し、該部分がより狭い部分に直接通じており、このより狭い部分がボールの直径よりも小さな幅を有する。例えば、通路は軸方向溝によって形成されている。
【００２３】
上記構成によれば、例えば、単一の部材に２つの別々の機能を組み合わせることが可能であり、例えば、通路が別の部材を案内する機能を果たすとともに収容部を形成できるようにすることができる。上記構成によれば、例えば、通路において摺動部材を停止させることが可能である。
【００２４】
いくつかの実施形態では、停止装置は、重力方向においてみたときに第１の遠位端が第２の遠位端の上方に配置されている場合にボールと協働するよう構成されたアバットメント（ｂｕｔｅｅ）を備える。
【００２５】
アバットメントとチャンバの壁との間に間隙が形成され、第１の遠位端が第２の遠位端の上方に配置されている場合、このアバットメントと壁との間の間隙にボールが配置されることが理解されるはずである。このような構造は簡易でコンパクトであるため、停止装置が頑丈であり、手動具の全体のコンパクトさにほとんど、あるいは全く影響を与えない。
【００２６】
いくつかの実施形態では、収容部は、第１の部分および第２の部分から選択される一方の部分の一部をなしている壁に形成されているのに対し、アバットメントは、第１の部分および第２の部分のうちの他方の部分に固定されている。
【００２７】
このような構造は特に簡易でコンパクトであるため、停止装置が頑丈であり、手動具の全体のコンパクトさにほとんど、あるいは全く影響を与えない。
【００２８】
例えば、収容部は、軸方向においてアバットメントに対向して配置されている。これにより、第１の遠位端が第２の遠位端の上方にある場合、ボールが非常に容易に停止位置をとり、収容部によって該停止位置に保持されたままとなるとともに、軸方向においてアバットメントに対向して配置されるため、第１の部分と第２の部分の間の軸方向の遊びを可能な限り小さくすることができる。
【００２９】
いくつかの実施形態では、アバットメントは、第１の部分の第２の部分に対する相対的な並進運動時に、少なくとも部分的に通路に入り込むよう構成されている。
【００３０】
したがって、第１の遠位端が第２の遠位端の下方にある場合、すなわち、第１の部分が第２の部分に対して相対的に軸方向に摺動可能である場合、アバットメントと通路とは摺動に際して互いに協働するよう構成されており、アバットメントが通路に入り込むことが理解されるはずである。この構成では、通路によって、第１の部分と第２の部分の相対的な運動を導くことが可能である。第１の遠位端が第２の遠位端の上方にあると、通路への入口に形成された収容部にボールが収容され、それによってアバットメントが通路に到達するのが阻止されるため、第１の部分と第２の部分の相対的な摺動が阻止される。例えば、静止状態、すなわち、使用者によって第１の部分と第２の部分が軸方向に互いに相対的に動かされていない状態では、アバットメントと通路の入口との間の軸方向の間隙は、ボールの直径（「ボールまたはその同等物」が球状でない場合は該ボールの最大寸法）の１０５％〜１１０％の範囲内である。
【００３１】
いくつかの実施形態では、ボールまたはその同等物は金属製である。
【００３２】
金属製のボールにはある程度の慣性があり、これにより、その停止位置での保持が向上する。
【００３３】
いくつかの実施形態では、手動具は、軸方向に延びる筆記具を形成している。
【００３４】
したがって、第１の遠位端および／または第２の遠位端には、例えば、シャープペンシルの芯、黒鉛製の芯、ボールペンのペン先、フェルトペンのペン先などの格納可能なペン先または固定されたペン先である筆記用先端部が備え付けられていることが理解されるはずである。
【００３５】
ボールによる停止装置を備えたこのような手動具は、筆記具に特によく適している。
【００３６】
いくつかの実施形態では、第１の遠位端には筆記用先端部が備え付けられているのに対し、第２の遠位端には消しゴム、摩擦体、または容量性スクリーン用のパッドが備え付けられている。
【００３７】
摩擦体は、例えば、熱を発生させて、熱変色性のインク、すなわち受けた熱に応じてその色を変えるインク、の色を変化させるために、表面に擦りつけられるよう構成された物体であることが理解されるはずである。
【００３８】
容量性スクリーン用のパッドは、容量性スクリーンと相互作用するよう構成された末端具であることが理解されるはずである。該パッドは、それが作られている材料またはコーティングにより、導電性である。パッドが容量性スクリーンと相互作用できる限り、すなわち、スクリーンがパッドと接触することでパッドを検出可能である限り、パッドの形状、柔軟性／剛性、および材料（または複数の材料）は限定されない。
【００３９】
ボールによる停止装置を備えた上記手動具は、上記のような先端部の組み合わせを有する筆記具に特によく適している。
本発明およびその利点が、非限定的な例として示される本発明の各実施形態の詳細な説明を読むことでより一層理解される。この説明は添付の図面を参照してなされる。
【図面の簡単な説明】
【００４０】
【図１】図１は、手動具を示す斜視図である。
【図２】図２は、図１の手動具の第１の部分および第２の部分を示す分解図である。
【図３】図３は、第１の部分の内部の詳細図である。
【図４】図４は、第１の遠位端が第２の遠位端の下方にある場合の切り欠き図である。
【図５】図５は、第１の遠位端が第２の遠位端の上方にある場合の切り欠き図である。
【発明を実施するための形態】
【００４１】
図１は、この実施形態では筆記具、より詳細にはシャープペンシルである手動具１０を示しており、手動具１０は、第１の部分１２と、第１の部分１２に嵌め込まれるとともに軸方向Ｘに並進運動可能な第２の部分１４とを備える。この例では、第１の部分１２と第２の部分１４の相対的な摺動の方向Ｘは、手動具１０が延びる方向と一致する。
【００４２】
第１の部分１２は、第１の先端部１２Ｂが備え付けられた第１の遠位端１２Ａを有し、第１の遠位端１２Ａは、第１の先端部１２Ｂを通すための開口を有する。この例では、第１の先端部１２Ｂは筆記用の先端部であり、より詳細には、第１の部分１２Ａの内部に格納できるとともに第１の部分の外部へ延びて出ることができる黒鉛製のペンの芯である。図１において、第１の先端部１２Ｂは延長されて第１の遠位端１２Ａから突き出ている。この例では、第１の部分１２は、ねじ止め（図示せず）によって互いに継ぎ合わされた２つの部分１２‐１，１２‐２によって形成されている。当然ながら、ある変形形態では、この２つの部分１２‐１，１２‐２が同じ単一の部品であってもよく、また、第１の部分１２が２つより多い数の部分を含んでもよい。第１の部分１２は、該第１の部分１２を第２の部分１４に対して相対的に動かす（その逆も然り）ときに芯１２Ｂを前進させるための芯前進機構（図示せず）を収容しており、また、このような機構は既知である。
【００４３】
第２の部分１４は、第２の先端部１４Ｂが備え付けられた第２の遠位端１４Ａを有し、第２の先端部１４Ｂは、この例では消しゴムである。さらに、周知のように、消しゴム１４Ｂを図１に示す矢印Ｉの方向に押すことによって、第１の部分１２が第２の部分１４に対して相対的に軸方向Ｘに並進運動し、これにより芯前進機構が作動して、芯１２Ｂが第１の遠位端１２Ａから前方に向かって動かされる。
【００４４】
停止装置１６を図１に破線で示しており、該装置は、当然ながら、手動具１０の内部に配置されており、そのため通常は視認できない。停止装置１６は、金属製のボール１６Ａと、ボール１６Ａを収容するチャンバ１６Ｂとを備える。停止装置１６のアバットメント１２Ｄは、図３を参照して後述するが、明確化のために図１には示していない。
【００４５】
以下、停止装置１６について、図２および図３を参照してより詳細に説明する。
【００４６】
チャンバ１６Ｂは、それぞれ第１の部分１２の一部および第２の部分１４の一部をなしている互いに対向する２つの壁１２Ｃ，１４Ｃの間に形成されている。より詳細には、この例において、壁１２Ｃは第１の部分１２の内壁であり、一方壁１４Ｃは第２の部分１４の外壁である。これらの壁１２Ｃ，１４Ｃはそれぞれ、凹部１２ＣＡ，１４ＣＡを有する。これら２つの凹部１２ＣＡ，１４ＣＡにより、チャンバ１６が形成されている。
【００４７】
第１の部分１２は、軸方向に延びるリブによって形成されたアバットメント１２Ｄを有する。第２の部分１４は、第１の通路１４Ｄ１と第２の通路１４Ｄ２とを有し、該通路はそれぞれ軸方向溝によって形成されている。アバットメント１２Ｄは、少なくとも部分的に通路１４Ｄ１，１４Ｄ２に入り込み、これら通路内を摺動するよう構成されている。
【００４８】
第１の通路１４Ｄ１および第２の通路１４Ｄ２のそれぞれは、凹部１４ＣＡに（より広く言えばチャンバ１６Ｂに）通じており、これら通路は軸方向Ｘにおける凹部１４ＣＡの（より広く言えばチャンバ１６Ｂの）両側で互いに対向して配置されている。通路１４Ｄ１，１４Ｄ２はそれぞれ同じ一定の幅Ｌを有し、該幅Ｌはボール１６Ａの直径Ｄよりも小さいことがわかるはずである。この例では、幅Ｌは直径Ｄの６０％に相当する。
【００４９】
図４および図５を参照して、アバットメント１２Ｄは、第１の通路１４Ｄ１に常時入り込んでいる。すなわち、アバットメント１２Ｄは、第１の部分１２の第２の部分１４に対する相対的な位置に関わらず第１の通路１４Ｄ１に入り込んでいる。これにより、第１の部分１２の第２の部分１４に対する（その逆も然り）相対的な軸方向Ｘ周りの回転を阻止できるため、アバットメント１２Ｄが常時第２の通路１４Ｄ２と一直線上に並んだままとなる。さらに、静止時、すなわち使用者が第１の部分１２を第２の部分１４に対して相対的に軸方向Ｘに動かしていない場合、アバットメント１２Ｄは第２の通路１４Ｄ２に入り込まない。その結果、第２の通路１４Ｄ２の入口１４Ｄ２１が、重力方向Ｇにおいてみたときに第１の遠位端１２Ａが第２の遠位端１４Ａの上方にある場合にボール１６Ａを部分的に収容するよう構成された収容部を形成する。換言すれば、収容部が第２の通路１４Ｄ２によって形成される。
【００５０】
したがって、図４に示すように、重力方向Ｇにおいてみたときに第１の遠位端１２Ａが第２の遠位端１４Ａの下方にある場合、停止装置１６は、第１の部分１２と第２の部分１４の軸方向Ｘにおける相対的な並進運動を可能にする。すなわち、ボール１６Ａがチャンバ１６Ｂの内部で自在に運動できるため、この配置状態において、ボール１６Ａは重力の作用を受けて、重力方向においてみたときのチャンバ１６Ｂの最下点に自動的に位置することになる。この配置状態では、チャンバ１６Ｂの最下点は、軸方向Ｘにおいて第２の通路１４Ｄ２の実質的に反対側にあるため、該通路の入口１４Ｄ２１は塞がれないままとなる。したがって、アバットメント１２Ｄは、阻まれることなく第２の通路１４Ｄ２に部分的に入り込めるため、第１の部分１２が第２の部分１４に対して相対的に軸方向に運動可能となる。第１の部分１２と第２の部分１４の相対的な軸方向の並進運動を、図４に両矢印ＩＩで示している。図４において、ボール１６Ａは解放位置にあり、手動具１０はその第１の配置状態にある。
【００５１】
図５を参照して、重力方向Ｇにおいてみたときに第１の遠位端１２Ａが第２の遠位端１４Ａの上方にある場合、そしてこの場合にのみ、停止装置１６は第１の部分１２と第２の部分１４の軸方向における相対的な並進運動を阻止する。すなわち、この状態において、ボール１６Ａは重力の作用を受けて第２の通路１４Ｄ２の入口１４Ｄ２１に達するまで移動するが、この入口がボール１６Ａの収容部を形成しており、アバットメント１２Ｄと第２の通路１４Ｄ２との間に位置している。この配置状態では、入口１４Ｄ２１がチャンバ１６Ｂの最下点となる。したがって、アバットメント１２Ｄの軸方向の並進運動がボール１６Ａによって阻止されるため、第１の部分１２と第２の部分１４の相対的な並進運動が阻止される。図５において、ボール１６Ａは停止位置にあり、手動具１０はその第２の配置状態にある。
【００５２】
図４に見られるように、アバットメント１２Ｄと入口１４Ｄ２１の間、より広く言えばアバットメント１２Ｄとチャンバ１６Ｂの壁の間の軸方向の間隙Ｅは、その長さがボール１６Ａの直径の１０５％に相当し、これにより、ボール１６Ａが停止位置にある場合の第１の部分１２と第２の部分１４の間の軸方向の遊びが非常に小さくなる。
【００５３】
停止装置１６は芯前進機構（図示せず）から完全に独立しているため、当然ながら、停止は芯前進機構の構成とは関係なく行われる。このことは、第１の先端部１２Ｂの作動機構とは関係なく概ね成立する。例えば、一変形形態では、第１の先端部がボールペンまたはフェルトペンのペン先であり、上記作動機構が第１の先端部の第１の遠位端１２Ａの内部への格納および外部への突出を行うためのラチェット機構である。この場合、第２の先端部は、例えば、摩擦体または容量性スクリーン用のパッドである。当然ながら、第１の先端部と第２の先端部の別の組み合わせも考えられる。
【００５４】
本発明を具体的な実施形態を参照して説明したが、特許請求の範囲によって定められる本発明の一般的な範囲を逸脱しない限り、上記実施形態に対して改良および変更を施し得ることは明らかである。特に、図示および／または説明した各実施形態のそれぞれの特徴をさらに別の実施形態において組み合わせ得る。したがって、明細書および図面は限定的な意味ではなく例示的な意味で考慮されるべきである。
【図１】
2019527633.tif 000003
【図２】
2019527633.tif 000004
【図３】
2019527633.tif 000005
【図４】
2019527633.tif 000006
【図５】
2019527633.tif 000007
【国際調査報告】
2019527633.tif 000008
2019527633.tif 000009
2019527633.tif 000010
2019527633.tif 000011
2019527633.tif 000012
2019527633.tif 000013